(57)【特許請求の範囲】
【請求項１】
加入者識別モジュール（１０）が直接に協働する無線通信の移動端末（２０）の少なくとも一つのインターフェース（２８から２１１）に関する少なくとも一つの情報、いわゆるインターフェース情報に応じて、加入者識別モジュール（１０）の機能を適合する方法において、
前記加入者識別モジュール（１０）から前記端末（２０）宛にインターフェース情報収集コマンドを送信する段階（３０）と、
少なくとも一つのインターフェース情報を含む応答を発生するように、前記端末（２０）が前記インターフェース情報収集コマンドを受信して実行する段階（３１）と、
前記端末（２０）から前記加入者識別モジュール（１０）宛に前記応答を送信する段階（３２）と、
前記加入者識別モジュール（１０）が前記応答を受信し、前記応答の内容に応じてその機能を適合する適合段階（３３）とを含むことを特徴とする方法。
【請求項２】
前記少なくとも一つのインターフェース情報は、
前記端末（２０）の表示の形式と、
前記端末（２０）のスクリーン（２８）のサイズと、
前記端末（２０）のスクリーン（２８）のテキストのサイズと、
前記端末（２０）のキーボード（２９）の形式と、
前記端末（２０）が発生可能な音響周波数の範囲と、
前記端末（２０）が受信可能な音響周波数の範囲とを含む群に属することを特徴とする請求項１に記載の方法。
【請求項３】
前記インターフェース情報収集コマンドは、前記端末（２０）と前記加入者識別モジュール（１０）との対話プロトコルのコマンド対の追加コマンドであることを特徴とする請求項１及び２のいずれかに記載の方法。
【請求項４】
事前段階で、前記端末（２０）は、前記加入者識別モジュール（１０）に、前記インターフェース情報収集コマンドを実行可能であるかどうか示すことを特徴とする請求項１から３のいずれか一項に記載の方法。
【請求項５】
無線通信移動端末（２０）と協働する形式の加入者識別モジュール（１０）において、
前記端末（２０）の少なくとも一つのインターフェース（２８から２１１）に関する少なくとも一つの情報、いわゆるインターフェース情報の収集コマンドを、前記端末（２０）に送信する手段（１６１）と、
前記収集コマンドの送信（３０）に続いて前記端末（２０）が送る応答で、少なくとも一つのインターフェース情報を含む応答を受信する手段（１６２）と、
前記応答の内容に応じてその機能を適合する手段（１３１）とを含むことを特徴とする加入者識別モジュール。
【請求項６】
前記少なくとも一つのインターフェース情報を一時的に蓄積する手段（１５）を含むことを特徴とする請求項５に記載の加入者識別モジュール（１０）。
【請求項７】
加入者識別モジュール（１０）と協働する形式の無線通信の移動端末（２０）において、
前記端末（２０）の少なくとも一つのインターフェース（２８から２１１）に関する少なくとも一つの情報、いわゆるインターフェース情報の収集コマンドで、前記加入者識別モジュール（１０）から送られる収集コマンドの受信手段（２１１１）と、少なくとも一つのインターフェース情報を含む応答を発生可能な前記収集コマンドの実行手段（２１ａ）と、
前記加入者識別モジュール（１０）に前記応答を送信する手段（２１１２）とを含むことを特徴とする無線通信の移動端末。
【発明の詳細な説明】
【０００１】
【発明の属する技術分野】
本発明は、無線通信システムに関し、限定的ではないが特にＧＳＭ（グローバル移動体システム）及びＤＣＳ１８００（デジタルセルラシステム）などのシステムに関する。
【０００２】
一般に、このようなシステムにおいて、ユーザは、移動端末からなる移動局を使用する。移動端末は加入者識別モジュール（又はＧＳＭ規格の「ＳＩＭ」カード（Ｓｕｂｓｃｒｉｂｅｒ  Ｉｄｅｎｔｉｔｙ  Ｍｏｄｕｌｅ））と協働する。ＳＩＭカードは通常、その利用を可能にするために移動端末に挿入するＩＣカードである。
【０００３】
より詳しくは、本発明は、加入者識別モジュールが協働する移動端末の一つ又は複数のインターフェースに加入者識別モジュールの機能を適合することができる方法に関する。
【０００４】
【従来の技術】
従来、移動端末は、特に様々なサービスにアクセス可能な一定の便益を提供する。提供されるこれらの便益は、例えば、
基本サービス及びオペレータの付加価値サービス（特に対話式のサービス）へのアクセスを容易にすることが可能な電話帳型のデータ蓄積の可能性、
追加サービスで操作を実行する可能性（例えば呼び出しの転送、着信通話のみなど）、
電話通信サービスを提供する移動無線ネットワークの場合には、短縮した文字数字メッセージ伝送サービスの提供、ならびに移動端末が送信又は受信する短縮文字数字メッセージの蓄積可能性、
以上のようなものである。
【０００５】
このような便益に関連するデータは、もともと移動端末自体に蓄積されているものであった。その後、さらに柔軟性を得るために、加入者識別モジュールでデータの蓄積を実施することが提案された。
【０００６】
かくしてＧＳＭ勧告１１．１１は、加入者識別に関するデータが蓄積されているのと同様の方法で、このような便益に関連するデータをＳＩＭカードの所定のメモリゾーンに蓄積して、カードを受容可能な各種のＧＳＭ移動端末とこのカードとのコンパチビリティを確保するようにしている。
【０００７】
欧州電気通信標準規格（ＥＴＳ：Ｅｕｒｏｐｅａｎ  Ｔｅｌｅｃｏｍｍｕｎｉｃａｔｉｏｎ  Ｓｔａｎｄａｒｄ）によって、加入者識別モジュールと移動端末との間のインターフェースは、各製造メーカー及び操作者とは無関係に、この二つの要素間の相互運用性を保証している。従って、このような加入者識別モジュールと協働可能であれば、どのような移動端末からでも便益を利用することができる。
【０００８】
【発明が解決しようとする課題】
しかしながら、依然として重大な欠点が残る。というのも、加入者識別モジュールが一つ又は複数のインターフェース宛のコマンドを送る場合、使用されるインターフェースの形式は、特にグラフィックディスプレイの形式に関して、送信されるコマンドを認識できるかどうか予め確認しない。その結果、加入者識別モジュールは、このモジュールが協働する端末に、端末が処理することができないコマンドを送信することがあり得る。
【０００９】
本発明は特に、従来技術のこうした重大な欠点を解消することを目的とする。
【００１０】
より詳しくは、本発明の目的の一つは、無線通信の移動端末の一つ又は複数のインターフェースに、加入者識別モジュールの機能を適合する方法を提供することにある。本発明はまた、このような方法を実施することができる加入者識別モジュール及び移動端末を提供することを目的とする。
【００１１】
本発明の補足的な目的は、用いられる移動端末で使用可能なリソースを最適利用できる、こうした方法、加入者識別モジュール及び移動端末を提供することにある。
【００１２】
本発明のもう一つの補足的な目的は、使用される移動端末の様々な形式を問わないで済む、こうした方法、加入者識別モジュール及び移動端末を提供することにある。
【００１３】
【課題を解決するための手段】
これらの様々な目的ならびに後述する他の目的は、本発明によれば、加入者識別モジュールが協働する無線通信の移動端末の少なくとも一つのインターフェースに関する少なくとも一つの情報、いわゆるインターフェース情報に応じて、加入者識別モジュールの機能を適合する方法により達成され、この方法は、
前記加入者識別モジュールから前記端末宛にインターフェース情報収集コマンドを送信する段階と、
少なくとも一つのインターフェース情報を含む応答を発生するように、前記端末が前記インターフェース情報収集コマンドを受信して実行する段階と、
前記端末から前記加入者識別モジュール宛に前記応答を送信する段階と、
前記加入者識別モジュールが応答を受信し、前記応答の内容に応じてその機能を適合する適合段階とを含むことを特徴とする。
【００１４】
従って、本発明の一般的な原理は、加入者識別モジュールが協働する移動端末が用いる一つ又は複数のインターフェースに関する一つ又は複数の情報を、加入者識別モジュールが回収しに行くことができるインターフェース情報収集コマンドの付加に基づいている。インターフェースは、端末の人間工学的な特徴を特に規定する。
【００１５】
これによって、その後、加入者識別モジュールは、移動端末により用いられるインターフェースの形式に適合したコマンドを送ることができ、従って使用される移動端末の能力を最適利用することができる。
【００１６】
加入者識別モジュール内に蓄積されるインターフェース情報収集コマンドは、加入者識別モジュールが協働する端末の形式に依存しない。
【００１７】
加入者識別モジュールが、特に様々なインターフェース情報を獲得するように、様々な瞬間に、連続する様々なインターフェース情報収集コマンドを送ることが可能であるのは明らかである。
【００１８】
本発明の好適な実施形態によれば、前記少なくとも一つのインターフェース情報は、
前記端末の表示の形式と、
前記端末のスクリーンのサイズと、
前記端末のスクリーンのテキストのサイズと、
前記端末のキーボードの形式と、
前記端末が発生可能な音響周波数の範囲と、
前記端末が受信可能な音響周波数の範囲とを含む群に属することを特徴とする。
【００１９】
このリストは、勿論、限定的なものではない。
【００２０】
本発明は、一つ又は複数のインターフェース情報の形態及び性質についていかなる制約を課すものでもないことに留意されたい。同様に、本発明は、移動端末により用いられる一つ又は複数のインターフェースの数及び性質にいかなる制約を課すものでもない。
【００２１】
一つの応答は、各種のインターフェース情報を含んでもよいことは明白である。
【００２２】
有利には、前記インターフェース収集コマンドは、前記端末と前記加入者識別モジュールとの間の対話プロトコルのコマンドセットの追加コマンドである。
【００２３】
有利には、前記端末は事前段階で、前記加入者識別モジュールに、前記インターフェース情報収集コマンドを実行可能であるかどうか示す。
【００２４】
かくして加入者識別モジュールは、移動端末により用いられる一つ又は複数のインターフェースが認識できないコマンドを不必要に送らないようにする。事前段階は、例えば初期化段階あるいは、他のあらゆる瞬間、特に加入者識別モジュールがインターフェース情報を必要であるときに実行される段階に対応する。インターフェース情報収集コマンドを実行する端末の能力を知ることは有効である。これは特に、一つ又は複数の情報を回収した一つ又は複数のインターフェースを実施するためのコマンドを、加入者識別モジュールが端末宛に送る前に言えることである。
【００２５】
本発明はまた、無線通信の移動端末と協働する形式の加入者識別モジュールに関する。このような加入者識別モジュールは、
前記端末の少なくとも一つのインターフェースに関する少なくとも一つの情報、いわゆるインターフェース情報の収集コマンドを、前記端末に送信する手段と、
前記収集コマンドの送信に続いて前記端末が送る応答で、少なくとも一つのインターフェース情報を含む応答を受信する手段と、
前記応答の内容に応じてその機能を適合する手段とを含む。
【００２６】
かくして、前記加入者識別モジュールが協働する無線通信の移動端末の少なくとも一つのインターフェースに関する少なくとも一つの情報、いわゆるインターフェース情報に応じて加入者識別モジュールの機能を適合する上記の方法を実行できるように、加入者識別モジュールは構成される。
【００２７】
さらに加入者識別モジュールの追加手段は、既知の加入者識別モジュールに比べて実施しやすく、安価で、いかなる大きな改造も必要としない。
【００２８】
有利には、前記加入者識別モジュールは、前記少なくとも一つのインターフェース情報を一時的に蓄積する手段を含む。
【００２９】
それによって、移動端末が用いる一つ又は複数のインターフェースに関する一つ又は複数の情報を保護し、特に実施するインターフェース形式の機能コマンドをそれぞれ送付する前に、適宜にそれらを回収できるようにすることが可能である。
【００３０】
本発明の加入者識別モジュールは勿論、考えられるすべての形式のインターフェースを含むライブラリを有することができる。このように、対応する一つ又は複数の情報を受信後に移動端末が用いるインターフェース形式に任意にマーキングした後で、加入者識別モジュールは、一つ又は複数の所望の情報を知る。
【００３１】
本発明はまた、加入者識別モジュールと協働する形式の無線通信の移動端末に関する。この移動端末は、
前記端末の少なくとも一つのインターフェースに関する少なくとも一つの情報、いわゆるインターフェース情報の収集コマンドで、前記加入者識別モジュールから送られる収集コマンドの受信手段と、少なくとも一つのインターフェース情報を含む応答を発生可能な前記収集コマンドの実行手段と、
前記加入者識別モジュールに前記応答を送信する手段とを含む。
【００３２】
以上から、本発明の移動端末は、インターフェース情報収集コマンドを受信、分析、認識、及び実行してから、要求される一つ又は複数のインターフェース情報を含む応答を送信することができる。
【００３３】
本発明は勿論、これらの様々な操作を実施するのに必要な時間に関してはいかなる制約を課すものでもない。
【００３４】
同様に本発明は、インターフェース情報収集コマンドの受信時に端末が実行中であるジョブの偶発的な停止に関していかなる制約を課すものでもない。
【００３５】
本発明の他の特徴ならびに長所は、限定的ではなく単なる例として挙げられた本発明の好適な実施形態の下記説明を読み、添付図面を参照すれば明らかになろう。
【００３６】
【発明の実施の形態】
以下の説明では、ＧＳＭ規格による無線通信システムの特定の場合について記載する。当業者は勿論、下記の原理を他の形式の無線通信システムに拡大することができる。
【００３７】
従って本発明は、ＳＩＭが協働する移動端末の一つ又は複数のインターフェースに応じてＳＩＭの機能を適合することができる方法に関する。本発明はまた、ＳＩＭ及びこの方法を実施可能な端末に関する。
【００３８】
次に、図１の概略図を参照しながら、本発明によるＳＩＭ（あるいは、より一般的には加入者識別モジュール）を示す。
【００３９】
このＳＩＭ１０は、半導体チップ１２を支持する支持体１１から特に構成される。半導体チップ１２は特に、チップ１２の他の手段（一部１５，１６で示す）を双方向性バス１４を介して制御する中央決定部品である、データ処理・管理手段１３（例えばマイクロプロセッサ）を含む。
【００４０】
さらに本発明の特徴として、データ処理・管理手段１３は、ＳＩＭの機能適合手段１３１を特に含む。以下に詳述するように、ＳＩＭが端末と協働する場合、こうしたＳＩＭの機能適合手段１３１は、移動端末から送られる応答に応じて、この移動端末が用いるインターフェースの形式に関する情報収集コマンドに作用を及ぼす。
【００４１】
チップ１２では、データ蓄積手段１５により、協働手段１６によって回収される上記の応答に含まれる特に一つ又は複数の情報を、少なくとも一時的に保護することができる。これらの協働手段１６は特に、端末のインターフェース収集コマンドをこの端末に向けて送信する手段１６１と、要求された一つ又は複数の情報を含む、この端末からの応答の受信手段１６２とを含む。これらの協働手段１６は、端末に設けられた、結合する協働手段（図２の２１１）と協働する。
【００４２】
図２に示された例では、本発明による端末２０は、端末の他の手段を双方向性バス２２を介して制御する中央決定部品である、データ処理・管理手段２１（例えばマイクロプロセッサ）を含む。
【００４３】
本発明によれば、これらのデータ処理・管理手段２１は、端末により用いられる様々なインターフェース形式の情報収集コマンドを実行する手段２１ａを特に含む。実行手段２１ａは、場合によっては様々なインターフェース手段に対して情報を回収した後で、特に応答を発生することができる。端末はさらに、上記のデータ処理・管理手段２１に接続されるデータ蓄積手段２３を含む。
【００４４】
データ処理・管理手段２１は、それぞれスクリーン２８、キーボード２９、マイク２１０1、スピーカ２１０2及びＳＩＭ読み取り装置２１１によってインターフェースを与える、様々なインターフェース手段２４から２７を特に制御する。ＳＩＭ読み取り装置２１１は特に、端末の各種インターフェースに関する情報収集コマンドの受信手段２１１1と、関連する応答の送信手段２１１2とを含む。
【００４５】
ＧＳＭ勧告１１．１１及び１１．１４に従って、ＳＩＭのアプリケーションのために一組のコマンドを使用する（「ＳＩＭ  Ａｐｐｌｉｃａｔｉｏｎ  Ｔｏｏｌｋｉｔ」）。このコマンドは、ＧＳＭセッションの持続期間中に使用可能なアプリケーションのセット及び関連する手順のセットからなる。「ＳＩＭアプリケーション・ツールキット」は、特にＳＩＭが任意の端末で相互作用及び操作をすることができる方法を示し、このためにアプリケーションが必要とする特定の機構を組み入れている。
【００４６】
特に「ＳＩＭアプリケーション・ツールキット」の範囲では、ＳＩＭが端末により実行させることができる（端末がこの観点で適合している場合）、「プロアクティブ（Ｐｒｏａｃｔｉｖｅ）ＳＩＭ」と称される群に属するコマンドを端末に送信可能であることを示す情報を、「ＳＩＭサービステーブル（Ｓｅｒｖｉｃｅ  Ｔａｂｌｅ）」と称されるファイルにＳＩＭが蓄積するように構成されている。ＳＩＭサービステーブルの読み込み後、端末は、端末が実行できるプロアクティブＳＩＭコマンドのリストを、「端末プロファイル（Ｔｅｒｍｉｎａｌ  Ｐｒｏｆｉｌｅ）」と称されるコマンドによってＳＩＭに伝える。プロアクティブＳＩＭのコマンドは特に、スクリーンにおけるテキスト表示コマンド（「ＤＩＳＰＬＡＹ  ＴＥＸＴ」）と、項目リストの中の一項目を選択するコマンド（「ＳＥＬＥＣＴ  ＩＴＥＭ」）とを含む。
【００４７】
本発明によれば、端末のインターフェース情報収集コマンドが付加されるのは、まさしく「プロアクティブＳＩＭ」コマンドのリストにおいてである。換言すれば、本発明のコマンドは、端末とＳＩＭとの間の対話プロトコルのコマンドセットに追加されるコマンドを構成する。
【００４８】
従来的には、ＳＩＭは、端末と協働した後で、特にコマンドの観点から端末が何を実行できるか知るように努める。そのためには、事前段階例えば初期化段階又は他のあらゆる瞬間に実行される段階で、「プロファイル・ダウンロード（Ｐｒｏｆｉｌｅ  Ｄｏｗｎｌｏａｄ）」と称される手順の「端末プロファイル」と称されるメッセージを端末からＳＩＭに送信する。このメッセージにおいて、端末は、端末が認識して実行することができるコマンドのリストをＳＩＭに示す。その結果、場合に応じて、本発明のインターフェース情報収集コマンドはこのリストの一部をなしたり、なさなかったりする。
【００４９】
次に、図３のフローチャートを参照しながら、ＳＩＭが協働する端末のインターフェース情報に応じてこのＳＩＭの機能を適合する本発明による方法を示す。
【００５０】
この方法は、図３の次の連続する段階を含む。
【００５１】
ＳＩＭが、端末に、インターフェース情報収集コマンドを送信する（３０）。
【００５２】
端末は、インターフェース情報収集コマンドを受信して実行することにより（３１）、少なくとも一つのインターフェース情報を含む応答を発生する。
【００５３】
端末が、少なくとも一つのインターフェース情報を含む応答を送信する（３２）。
【００５４】
ＳＩＭが、応答を受信し（３３）、分析し、この応答の内容に応じてその機能を適合する。
【００５５】
応答の内容は特に次のような一つ又は複数のインターフェース情報すなわち表示の形式（例えばグラフィック又はテキストあるいはその両方）、スクリーンのサイズ、スクリーンのテキストのサイズ、端末のキーボードの形式、端末が発生可能又は受信可能な音響周波数の範囲などを含む。
【００５６】
かくしてＳＩＭは、コマンドの宛先端末のインターフェースの形式に応じて、複数のコマンドの中から送信すべきコマンドを選択することができる。例えば、端末がグラフィック表示インターフェースを用いている場合、一つ又は複数のグラフィック表示コマンドだけを用いることが可能であり、一つ又は複数のテキスト表示コマンドを用いることは不可能である。
【００５７】
ＳＩＭの機能は、端末が使用するインターフェース収集コマンドへの応答が含みうる他のどのようなインターフェース情報にも応じて適合できることは明らかである。上記の説明は、インターフェース情報の収集コマンドがＳＩＭの「プロアクティブＳＩＭ」ファイルに蓄積されている場合に特に対応するが、ＳＩＭの他のファイルにこのコマンドを蓄積可能であることにも留意されたい。他の変形例によれば、端末とＳＩＭとの相互作用を初期化する際に、端末は体系的に自ら（ＳＩＭのコマンドなしに）、少なくとも一つのインターフェース情報を含むメッセージをＳＩＭに送信する。
【図面の簡単な説明】
【図１】本発明による加入者識別モジュールの特定の実施形態の概略図である。
【図２】図１の加入者識別モジュールと協働する、本発明による移動端末の特定の実施形態の概略図である。
【図３】本発明による方法の特定の実施形態の簡単なフローチャートである。
【符号の説明】
１０  ＳＩＭ
１１  支持体
１２  半導体チップ
１３、２１  データ処理・管理手段
１３１  ＳＩＭの機能適合手段
１４、２２  双方向性バス
１５  データ蓄積手段
１６、２１１  協働手段
１６１  送信手段
１６２  受信手段
２０  端末
２１ａ  実行手段
２１０1  マイク
２１０2  スピーカ
２１１  ＳＩＭ読み取り装置
２１１1  受信手段
２１１2  送信手段
２３  データ蓄積手段
２４から２７  インターフェース手段
２８  スクリーン
２９  キーボード
【図１】
0003689242.tif 000002
【図２】
0003689242.tif 000003
【図３】
0003689242.tif 000004